(57)【要約】【課題】リサイクル性を向上できる紙容器及びその解体方法を提供する。【解決手段】複数の周面板１１〜１４と周面板１１に接着される糊代片１５とを有した筒状の胴部１０と、周面板１１〜１４の上方に連設される複数の天井周面板３１〜３４と天井周面板３１に接着される糊代片３５とを有して胴部１０の天面を塞ぐ傾斜屋根部３０と、胴部１０の底面を塞ぐ底面部２０と、糊代片３５を周方向に折り返して天井周面板３１に接着される折返し部３５ａと、折返し部３５ａに接着される天井周面板３１の上端部に折返し部３５ａに面して設けられた切り欠きから成る剥離開始部３１ｅと、胴部１０の底部に配してバリア層７２ｂよりも外面側に略水平方向に延びた環状の切断線５１と、糊代片１５に重なる周面板１１の端縁であって切断部５１の延長上若しくは切断部５１よりも下方に配される第１ノッチ５１ａと、を備えた。【選択図】図５
2018052574.tif 000002
【特許請求の範囲】
【請求項１】
外面側から順に、熱可塑性を有する外面接着層、紙製の紙基材層、ガスバリア性を有するバリア層を一面に配したバリア基材層、熱可塑性を有する内面接着層を積層し、前記紙基材層と前記バリア層との間に両者を剥離可能にする剥離層を配したブランク板から構成されたゲーベルトップ型の紙容器において、
周方向に連設される複数の周面板と一の前記周面板に接着される第１糊代片とを有した断面矩形の筒状の胴部と、
前記周面板の上方に連設される複数の天井周面板と一の前記天井周面板に接着される第２糊代片とを有して前記胴部の天面を塞ぐ傾斜屋根部と、
前記胴部の底面を塞ぐ底面部と、
前記第２糊代片を周方向に折り返して前記天井周面板に接着される折返し部と、
前記折返し部に接着される前記天井周面板の上端部に前記折返し部に面して設けられた切り欠きから成る剥離開始部と、
前記胴部の底部に配して前記バリア層よりも外面側に略水平方向に延びた環状の切断部と、
前記第１糊代片に重なる前記周面板の端縁であって前記切断部の延長上若しくは前記切断部よりも下方に配される第１ノッチと、を備えることを特徴とする紙容器。
【請求項２】
前記切断部が前記紙基材層の内面側に形成されているハーフカットにより構成されることを特徴とする請求項１に記載の紙容器。
【請求項３】
前記第２糊代片に隣接する前記天井側面板の上端に前記第２糊代片に近接して配される第２ノッチが設けられることを特徴とする請求項１又は請求項２に記載の紙容器。
【請求項４】
前記第２糊代片と前記第２糊代片に隣接する前記天井側面板との境界の上端に配される第２ノッチが設けられることを特徴とする請求項１又は請求項２に記載の紙容器。
【請求項５】
複数の前記天井周面板は、前記第２糊代片と隣接する前記天井前面板と、前記第２糊代片が接着される前記天井背面板と、前記天井前面板及び前記天井背面板とを連結する左右一対の天井側面板とから構成され、
前記天井前面板及び前記天井背面板は前記天井側面板よりも上方に突出する一対の突出部を有し、前記天井前面板から突出する前記突出部の両側端には水平方向に延びる切込みから成る開封開始部が形成されていることを特徴とする請求項１〜請求項４のいずれかに記載の紙容器。
【発明の詳細な説明】
【技術分野】
【０００１】
本発明は、液体の内容物を収納するゲーベルトップ型の紙容器に関する。
【背景技術】
【０００２】
酒類、飲料類等の包装に使用される従来のゲーベルトップ型の紙容器は特許文献１に開示されている。この紙容器は紙基材層の外面に外面接着層を積層し、内面にバリア層及び内面接着層を順に積層したブランク板を折曲して形成される。バリア層は内容物の酸化劣化や味覚低下を防止する。
【０００３】
また、紙容器は筒状の胴部の上下面をそれぞれ傾斜屋根部及び底面部により塞がれる。傾斜屋根部には注出口を形成する樹脂成形品の注出部材が取り付けられる。
【０００４】
胴部はブランク板を環状に折曲して一端の糊代を他端に接着して形成される。胴部の底部及び上端部にはバリア層よりも外面側に略水平方向に延びた環状の切断部が設けられる。また、糊代近傍には略垂直方向に延びる切断部が設けられる。各切断部はブランク板の外面側から紙基材層を切り込む深さに形成される。胴部の底部には一対の切断部が隣接して設けられ、帯状分離帯が形成される。
【０００５】
上記構成の紙容器において、内容物が全て注出された後に使用者が帯状分離帯の一端を摘持して切断部に沿う方向に力を加えると、帯状分離帯の紙基材層がバリア層から剥離する。次に、帯状分離帯の上端の切断部に手指を掛けて上方に力を加えると、略垂直な切断部及び上端部の切断部に沿って胴部の紙基材層がバリア層から剥離される。これにより、紙基材層とバリア層とを分離して、紙基材層をリサイクルすることができる。傾斜屋根部を含む紙容器の上部及び底面部を含む紙容器の底部は廃棄される。
【先行技術文献】
【特許文献】
【０００６】
【特許文献１】特許第５６２２１０９号公報（第４頁、第５頁、第１０頁、第１１頁、第１図、第４図）
【発明の概要】
【発明が解決しようとする課題】
【０００７】
しかしながら、上記従来の紙容器によると、紙容器の上部及び底部が廃棄されるため、リサイクルできる紙の量が少なくなる。このため、紙容器のリサイクル性が悪くなる問題があった。
【０００８】
本発明は、リサイクル性を向上できる紙容器を提供することを目的とする。
【課題を解決するための手段】
【０００９】
上記目的を達成するために本発明は、外面側から順に、熱可塑性を有する外面接着層、紙製の紙基材層、ガスバリア性を有するバリア層を一面に配したバリア基材層、熱可塑性を有する内面接着層を積層し、前記紙基材層と前記バリア層との間に両者を剥離可能にする剥離層を配したブランク板から構成されたゲーベルトップ型の紙容器において、周方向に連設される複数の周面板と一の前記周面板に接着される第１糊代片とを有した断面矩形の筒状の胴部と、前記周面板の上方に連設される複数の天井周面板と一の前記天井周面板に接着される第２糊代片とを有して前記胴部の天面を塞ぐ傾斜屋根部と、前記胴部の底面を塞ぐ底面部と、前記第２糊代片を周方向に折り返して前記天井周面板に接着される折返し部と、前記折返し部に接着される前記天井周面板の上端部に前記折返し部に面して設けられた切り欠きから成る剥離開始部と、前記胴部の底部に配して前記バリア層よりも外面側に略水平方向に延びた環状の切断部と、前記第１糊代片に重なる前記周面板の端縁であって前記切断部の延長上若しくは前記切断部よりも下方に配される第１ノッチと、を備えることを特徴としている。
【００１０】
この構成によると、紙容器の解体時に傾斜屋根部が開かれる。次に、第２糊代片に接着される天井周面板は剥離開始部を起点に引き剥がされ、内面接着層及びバリア層が折返し部に固着された状態で紙基材層とバリア層とが剥離層により剥離する。これにより、剥離開始部から天井周面板の端縁に沿って下方に剥離を進めると、剥離は第１糊代片に接着される周面板の端縁に沿って連続して進み、第１ノッチに到達する。そして、第１ノッチを起点にして胴部の周方向に剥離方向を変えると、紙基材層が切断されながら剥離が周方向に進む。この時、第１ノッチを起点にして周方向に進む紙基材層の切断が切断部に合流する。その後、切断部に沿って紙基材層が切断されながら剥離が周方向に進む。これにより、各天井周面板及び各周面板は切断部で周方向に紙基材層を切断しながら紙基材層とバリア層とが順に剥離される。従って、紙容器の上端と切断部との間の紙基材層がバリア層から剥離される。
【００１１】
また本発明は上記構成の紙容器において、前記切断部が前記紙基材層の内面側に形成されているハーフカットにより構成されることを特徴としている。
【００１２】
また本発明は上記構成の紙容器において、前記第２糊代片に隣接する前記天井側面板の上端に前記第２糊代片に近接して配される第２ノッチが設けられることを特徴としている。
【００１３】
また本発明は上記構成の紙容器において、前記第２糊代片と前記第２糊代片に隣接する前記天井側面板との境界の上端に配される第２ノッチが設けられることを特徴としている。
【００１４】
また本発明は上記構成の紙容器において、複数の前記天井周面板は、前記第２糊代片と隣接する前記天井前面板と、前記第２糊代片が接着される前記天井背面板と、前記天井前面板及び前記天井背面板とを連結する左右一対の天井側面板とから構成され、前記天井前面板及び前記天井背面板は前記天井側面板よりも上方に突出する一対の突出部を有し、前記天井前面板から突出する前記突出部の両側端には水平方向に延びる切込みから成る開封開始部が形成されていることを特徴としている。
【発明の効果】
【００１５】
本発明によると、ゲーベルトップ型の紙容器の紙基材層とバリア層とを容易に分離することができる。従って、リサイクルできる紙の量を多くすることができ、紙容器のリサイクル性を向上させることができる。
【図面の簡単な説明】
【００１６】
【図１】本発明の第１実施形態の紙容器を正面側から見た斜視図
【図２】本発明の第１実施形態の紙容器を背面側から見た斜視図
【図３】本発明の第１実施形態の紙容器の上端部の側面断面図
【図４】本発明の第１実施形態の紙容器の上端部の上面断面図
【図５】本発明の第１実施形態の紙容器のブランク板を示す展開図
【図６】本発明の第１実施形態の紙容器のブランク板の層構成を示す断面図
【図７】本発明の第１実施形態の紙容器の上端部の糊代片部分の上面断面図
【図８】本発明の第１実施形態の紙容器の熱接着部剥離工程後の状態を示す斜視図
【図９】本発明の第１実施形態の紙容器のバリア層剥離工程後の状態を示す平面図
【図１０】本発明の第２実施形態の紙容器のブランク板を示す展開図
【図１１】本発明の第３実施形態の紙容器のブランク板を示す展開図
【図１２】本発明の第４実施形態の紙容器のブランク板を示す展開図
【図１３】本発明の第５実施形態の紙容器のブランク板の層構成を示す断面図
【発明を実施するための形態】
【００１７】
＜第１実施形態＞
以下に図面を参照して本発明の実施形態を説明する。図１及び図２は第１実施形態の紙容器の正面側から見た斜視図及び背面側から見た斜視図である。紙容器１はゲーベルトップ型に構成され、酒類（日本酒、ワイン、焼酎等）、飲料類（コーヒー、乳飲料、ジュース、お茶等）、調味料（ドレッシング等）または衛生用品（シャンプー、リンス等）等の液状の内容物が充填される。
【００１８】
紙容器１は本体部２と注出部材３とを備えている。本体部２は紙基材層６２（図６参照）を有するブランク板１００（図５参照）を箱形状に折曲して形成される。注出部材３は樹脂成形品から成り、内容物の注出口を形成してキャップ３ａにより開閉される。
【００１９】
本体部２は筒状の胴部１０の底面が底面部２０により塞がれ、胴部１０の天面が傾斜屋根部３０により塞がれる。胴部１０は対向する前面板１３と背面板１１の両側端を左右一対の側面板１２、１４により連結した水平断面矩形に形成される。背面板１１、側面板１２、前面板１３及び側面板１４は水平方向に順に連設され、胴部１０の周面を形成する周面板を構成する。
【００２０】
傾斜屋根部３０は傾斜して対向する天井前面板３３と天井背面板３１の両側端を左右一対の天井側面板３２、３４により連結して形成される。天井前面板３３は前面板１３の上方に連設され、後方に傾斜する。天井背面板３１は背面板１１の上方に連設され、前方に傾斜する。天井側面板３２及び天井側面板３４はそれぞれ側面板１２及び側面板１４の上方に連設され、内側に向かって傾斜して天井前面板３３と天井背面板３１との間に配される。天井背面板３１、天井側面板３２、天井前面板３３及び天井側面板３４は水平方向に順に連設され、傾斜屋根部３０の周面を形成する天井周面板を構成する。
【００２１】
図３、図４は傾斜屋根部３０の上端部の側面断面図及び上面断面図を示している。尚、図３は天井側面板３２上を通る断面を示している。天井側面板３２及び天井側面板３４の上端部は谷折りにより二つ折りされ、傾斜した天井前面板３３の上端部と天井背面板３１の上端部との間に配される。
【００２２】
二つ折りした天井側面板３２の上端部は後述する外面接着層６１（図６参照）により熱接着され、熱接着部３６が形成される。二つ折りした天井側面板３４の上端部は外面接着層６１（図６参照）により熱接着され、熱接着部３７が形成される。
【００２３】
天井前面板３３及び天井背面板３１は天井側面板３２、３４よりも上方に突出した突出部３３ｂ、３１ｂを有する。突出部３３ｂ、３１ｂは後述するそれぞれの内面の内面接着層７４（図６参照）により熱接着され、熱接着部３８が形成される。
【００２４】
天井側面板３２及び天井前面板３３の上端部はそれぞれの内面の内面接着層７４（図６参照）により熱接着され、熱接着部３９が形成される。天井側面板３４及び天井前面板３３の上端部はそれぞれの内面の内面接着層７４により熱接着され、熱接着部４０が形成される。
【００２５】
天井側面板３２及び天井背面板３１の上端部はそれぞれの内面の内面接着層７４（図６参照）により熱接着され、熱接着部４１が形成される。天井側面板３４及び天井背面板３１の上端部はそれぞれの内面の内面接着層７４（図６参照）により熱接着され、熱接着部４２が形成される。
【００２６】
図５は紙容器１のブランク板１００の展開図を示している。紙容器１の本体部２を展開したブランク板１００は所定位置に折り線９０が設けられ、矩形の背面板１１、側面板１２、前面板１３、側面板１４、糊代片（第１糊代片）１５が一方向に順に連設される。
【００２７】
背面板１１の上端には天井背面板３１が連設され、下端には底面板２１が連設される。側面板１２の上端には天井側面板３２が連設され、下端には底面板２２が連設される。前面板１３の上端には天井前面板３３が連設され、下端には底面板２３が連設される。側面板１４の上端には天井側面板３４が連設され、下端には底面板２４が連設される。糊代片１５の上端には糊代片（第２糊代片）３５が連設され、下端には糊代片２５が連設される。天井前面板３３には注出部材３（図１参照）を取り付ける挿通孔３３ａが設けられる。
【００２８】
糊代片１５、２５、３５には後述するスカイブヘミング加工により折り返される折返し部１５ａ、２５ａ、３５ａが設けられる。また、天井背面板３１の上端部には切り欠きから成る剥離開始部３１ｅが形成される。剥離開始部３１ｅは天井背面板３１の側縁に到達するように矩形状に形成される。剥離開始部３１ｅを扇状や三角形状等の他の形状に形成してもよい。
【００２９】
剥離開始部３１ｅの下端は、天井背面板３１に形成される熱接着部４１、４２の下端の折り線９０よりも上方に配される。これにより、内容物の漏れを防止することができる。剥離開始部３１ｅの下端と熱接着部４１、４２の下端の折り線９０との距離Ｇを１０ｍｍ以上に形成するとより望ましい。この時、剥離開始部３１ｅの下端を天井背面板３１の上端から６ｍｍ以内に形成すると、紙容器１の美観の低下を抑制できる。
【００３０】
天井側面板３２、３４の上端面３２ｄ、３４ｄは両側端から中央に向かって傾斜し、中央部を最上点とした凸面に形成される。天井前面板３３及び天井背面板３１の上端部の突出部３３ｂ、３１ｂは天井側面板３２、３４の上端面３２ｄ、３４ｄの最上点よりも上方に突出する。
【００３１】
詳細を後述するように、天井側面板３２及び天井側面板３４の上端部は二つ折りして外面が熱接着される。この時、天井側面板３２及び天井側面板３４の上端部の一部の領域（図中、ハッチングで示す）に剥離剤６９が塗布される。
【００３２】
また、胴部１０の背面板１１、側面板１２、前面板１３及び側面板１４の底部には水平方向に延びる環状の切断線（切断部）５１が設けられる。
【００３３】
切断線５１と胴部１０の下端の折り線９０との距離Ｈ１は３５ｍｍ以下に形成される。これにより、後述するように切断線５１上で剥離してリサイクルされる紙の量を多くすることができる。尚、距離Ｈ１を２５ｍｍ以上に形成するとより、紙容器１の強度の低下を抑制することができる。
【００３４】
また、背面板１１の一端には切断線５１の延長上若しくは切断線５１よりも下方にノッチ（第１ノッチ）５１ａが設けられている。ノッチ５１ａはＩノッチ、Ｖノッチ又はＵノッチから成る。切断線５１とノッチ５１ａとの距離Ｗ１は０ｍｍ〜５ｍｍに形成することが好ましい。これにより、後述するようにノッチ５１ａを起点として周方向に紙基材層６２を切断した際に容易に切断線５１に合流させることができる。
【００３５】
ブランク板１００は折り線９０で折曲して糊代片１５、糊代片２５及び糊代片３５で熱接着することにより、筒状に形成される。即ち、一端の側面板１４に連設される糊代片１５が他端の背面板１１に熱接着されることによって、周方向に閉じた状態の筒状の胴部１０が形成される。一端の底面板２４に連設される糊代片２５が他端の底面板２１に熱接着されることによって、底面部２０が下端を開放して周方向に閉じた状態に形成される。一端の天井側面板３４に連設される糊代片３５が他端の天井背面板３１に熱接着されることによって、傾斜屋根部３０が上端を開放して周方向に閉じた状態に形成される。
【００３６】
底面部２０は各底面板２１〜２４を折り線９０で折り畳み、熱接着により胴部１０の底面を塞いだ状態で固着される。
【００３７】
傾斜屋根部３０の天井前面板３３には挿通孔３３ａに挿入された注出部材３が挿通孔３３ａの周囲に熱接着される。そして、天井前面板３３、天井背面板３１、天井側面板３２及び天井側面板３４を折り線９０で折曲し、熱接着によって前述の熱接着部３６〜４２が形成される。これにより、傾斜屋根部３０は胴部１０の天面を塞いだ状態で固着される。
【００３８】
図６はブランク板１００の層構成を示す断面図である。ブランク板１００は外装部６０と、外装部６０の内面側に外装部６０から剥離可能に配された内装部７０とを有する。
【００３９】
外装部６０は外面側から順に外面接着層６１、紙基材層６２、層間接着層６３、樹脂インキ６４が配される。外面接着層６１と紙基材層６２との間及び紙基材層６２と層間接着層６３との間にはイミン系、ウレタン系またはアクリル系のアンカーコート剤６５が形成される。
【００４０】
紙基材層６２は例えば坪量が３８２ｇ／ｍ2の板紙により形成される。外面接着層６１は熱可塑性を有し、例えば厚みが２５μｍの低密度ポリエチレン（ＬＤＰＥ）樹脂により形成される。外面接着層６１によってブランク板１００の外面を熱接着する熱接着層が構成される。外面接着層６１の外面はコロナ処理され、グラビア印刷またはオフセット印刷により所定位置に印刷層６８が形成される。層間接着層６３は熱可塑性を有し、例えば厚みが２０μｍのエチレン・メタクリル酸共重合樹脂（ＥＭＡＡ）樹脂により形成される。層間接着層６３により紙基材層６２上に後述する剥離層７９が接着される。
【００４１】
内装部７０は外面側から順に樹脂インキ７１、中間層７２、層間接着層７３、内面接着層７４が配される。中間層７２と層間接着層７３との間にはイミン系のアンカーコート剤７５が印刷により形成される。
【００４２】
外装部６０の樹脂インキ６４と内装部７０の樹脂インキ７１とは互いに剥離可能な剥離層７９を構成する。剥離層７９は中間層７２上に樹脂インキ７１、樹脂インキ６４の順に印刷して形成される。樹脂インキ７１は例えばシェラックにより形成され、樹脂インキ６４は例えばエチレン‐酢酸ビニル共重合体樹脂により形成される。樹脂インキ７１と樹脂インキ６４との接着強度はブランク板１００の他の層間の接着強度より小さくなっている。これにより、ブランク板１００は樹脂インキ７１と樹脂インキ６４とが容易に剥離する。従って、剥離層７９によって紙基材層６２を含む外装部６０とバリア層７２ｂを含む内装部７０との間が剥離可能に形成される。
【００４３】
本実施形態において、剥離層７９（樹脂インキ６４／樹脂インキ７１間）の剥離強度は０．０５Ｎ／１５ｍｍ幅以上〜１Ｎ／１５ｍｍ幅未満になっている。尚、剥離強度の測定は、１５ｍｍ幅のブランク板１００の一端から剥離面に平行な方向に引き剥がす方法によって行い、引張速度は３００ｍｍ／分である。
【００４４】
尚、剥離層７９を水溶性樹脂やエマルジョン等により形成し、紙基材層６２と層間接着層６３との間に配してもよい。この剥離層７９は、アクリル酸−アクリル酸アルキル−メタクリル酸アルキル共重合体、スチレン−アクリル酸共重合体、アクリル酸−アクリル酸アルキル−メタクリル酸アルキル−スチレン共重合体、のいずれかを溶解させたアクリル系の水溶性樹脂やエマルジョン等により形成することができる。
【００４５】
中間層７２はバリア基材層７２ａの一面にバリア層７２ｂを配して形成され、バリア層７２ｂが外面側に配される。バリア基材層７２ａは例えば厚みが１２μｍのポリエチレンテレフタレート（ＰＥＴ）フィルムにより形成される。バリア層７２ｂは金属蒸着膜（例えばアルミニウム蒸着膜等）または無機酸化物蒸着膜（例えば、シリカ蒸着膜、アルミナ蒸着膜等）により形成される。これにより、バリア層７２ｂはガスバリア性を有し、酸素や水蒸気等の紙容器１内への透過を防止することができる。尚、バリア層７２ｂとしてアルミニウム箔等の金属箔を用いてもよい。また、バリア層７２ｂをバリア基材層７２ａの内面側に配置してもよい。
【００４６】
層間接着層７３は熱可塑性を有し、例えば厚みが２０μｍの低密度ポリエチレン樹脂により形成される。層間接着層７３により中間層７２と内面接着層７４とが接着される。内面接着層７４は熱可塑性を有し、例えばメタロセン触媒を用いて重合した厚みが４０μｍの直鎖状低密度ポリエチレン（ＬＬＤＰＥ）フィルムにより形成される。内面接着層７４によってブランク板１００の内面を熱接着する熱接着層が構成される。尚、ドライラミネート法等に使用される樹脂系（例えばウレタン、アクリル等）の２液硬化型の接着剤を用いて層間接着層７３を形成してもよい。
【００４７】
ブランク板１００を折曲して紙容器１を形成する際に、対向する内面接着層７４同士、対向する外面接着層６１同士、対向する内面接着層７４と外面接着層６１がそれぞれ熱接着される。
【００４８】
尚、アンカーコート剤６５、７５を省いてもよいが、アンカーコート剤６５、７５を設けることにより各層間の密着性を向上させることができる。
【００４９】
また、切断線５１はバリア層７２ｂよりも外面側に設けられ、紙基材層６２の内面上から切り込まれたハーフカットにより形成される。これにより、切断線５１は深さ方向の一端が紙基材層６２の内面上であり、他端が紙基材層６２の層内になっている。
【００５０】
以下に紙容器１の形成方法を説明する。まず、ロール状に巻き取られた紙基材層６２を引出し、紙基材層６２の両面にアンカーコート剤６５が印刷される。次に、グラビア版を用いて中間層７２のバリア層７２ｂ上に樹脂インキ７１、６４の順に印刷が行われ、剥離層７９が形成される。これにより、剥離層７９が積層された中間層７２が形成される。
【００５１】
次に、ＥＣ（Extrusion Coating）法により紙基材層６２の外面に外面接着層６１が積層される。次に、外面接着層６１を積層した紙基材層６２と、中間層７２に積層された剥離層７９とがＥＣ法によって層間接着層６３を介して貼り合わせられる。
【００５２】
次に、中間層７２の内面にアンカーコート剤７５が印刷され、ＥＣ法により中間層７２と内面接着層７４とが層間接着層７３を介して貼り合わせられる。次に、外面接着層６１の外面にコロナ処理が施され、グラビア印刷またはオフセット印刷によって商品名等の図柄や切断線５１（図５参照）を描く印刷層６８が形成される。これにより、ブランク板１００を構成する積層体が形成される。
【００５３】
次に、打抜き加工によってブランク板１００が打ち抜かれる。この時、挿通孔３３ａが形成されるとともに、押罫による折り線９０が形成される。次に、ブランク板１００の糊代片１５、２５、３５のスカイブヘミング加工が施される。
【００５４】
次に、ブランク板１００が背面板１１、底面板２１及び天井背面板３１の内面と糊代片１５、２５、３５の内面とをフレームシールして上下面を開いた筒状体に形成される。上下面が開いた筒状体はカートン組立装置等を搭載した充填密封装置に設置される。充填密封装置により底面板２１〜２４を折り畳んで底面部２０が形成され、胴部１０の下面が塞がれる。次に、注出部材３が挿通孔３３ａに挿通されてブランク板１００の内面に熱接着により固着される。次に、上面から胴部１０内に内容物が充填される。
【００５５】
次に、傾斜屋根部３０の天井側面板３２及び天井側面板３４がそれぞれ側面板１２及び側面板１４に対して折曲され、上端部を二つ折りされる。天井側面板３２及び天井側面板３４の上端部の外面接着層６１上には所定領域に剥離剤６９が塗布される。対向する天井側面板３２及び天井側面板３４の外面接着層６１同士を一部に剥離剤６９を挟んで熱接着し、熱接着部３６、３７が形成される。剥離剤６９はシリコーン樹脂、セルロース系樹脂、ウレタン樹脂、アクリル樹脂、硝化綿等から選択される一または複数の樹脂から成り、外面接着層６１の熱接着の接着強度を低下させる。
【００５６】
この時、天井側面板３２及び天井側面板３４の上端部と、天井前面板３３の上端部とが対向する内面接着層７４同士を熱接着され、熱接着部３９、４０が形成される。同様に、天井側面板３２及び天井側面板３４の上端部と、天井背面板３１の上端部とが対向する内面接着層７４同士を熱接着され、熱接着部４１、４２が形成される。天井側面板３４の一端と糊代片３５とは対向する内面接着層７４同士を熱接着される。また、突出部３３ｂと突出部３１ｂとが対向する内面接着層７４同士を熱接着され、熱接着部３８が形成される。これにより、傾斜屋根部３０が形成され、胴部１０の天面が塞がれて図１に示す紙容器１が得られる。
【００５７】
この時、各熱接着層間の接着強度は外装部６０と内装部７０との接着強度（即ち、樹脂インキ７１と樹脂インキ６４との接着強度）よりも高く形成される。
【００５８】
図７は傾斜屋根部３０の上端部の上面断面図であり、糊代片３５部分を示している。糊代片３５はスカイブヘミング加工されているため、折返し部３５ａが天井背面板３１の突出部３１ｂに熱接着される。この時、天井背面板３１に設けた剥離開始部３１ｅは折返し部３５ａに対向し、剥離開始部３１ｅを介して折返し部３５ａが露出する。
【００５９】
また、剥離開始部３１ｅの水平方向の内端は折返し部３５ａ上に配される。同図に示すように、折返し部３５ａよりも外側はブランク板１００（図５参照）が３層になり、折返し部３５ａ上ではブランク板１００が４層になる。熱接着部３８を形成するフレームシール時に側端部の３層部分は厚みが小さいため圧力を十分に加えることが困難となる。このため、剥離開始部３１ｅが設けられていない場合は、突出部３１ｂの側端部と糊代片３５との接着強度が弱く、両者の界面で剥離しやすくなる。
【００６０】
一方、折返し部３５ａ上の４層部分は厚みが大きいためフレームシール時に圧力が十分に加えることができ、突出部３１ｂと折返し部３５ａとの間で強い接着強度が得られる。このため、折返し部３５ａよりも外側の突出部３１ｂの側端部を剥離開始部３１ｅにより除去し、剥離開始部３１ｅの水平方向の内端が折返し部３５ａ上に設けられる。これにより、剥離開始部３１ｅよりも内側で突出部３１ｂの内装部７０（図６参照）と折返し部３５ａとを強固に接着することができる。従って、突出部３１ｂの内装部７０と外装部６０（図６参照）とを安定して剥離することができる。
【００６１】
この時、剥離開始部３１ｅの水平方向の内端と、折返し部３５ａの水平方向の内端との距離Ｄを０．５ｍｍ以上に形成すると、突出部３１ｂと折返し部３５ａとを確実に接着することができる。距離Ｄを２ｍｍ〜８ｍｍに形成するとより望ましい。
【００６２】
紙容器１は内容物を全て注出された後に解体される。紙容器１の解体作業は熱接着部剥離工程、バリア層剥離工程の順に行われる。
【００６３】
熱接着部剥離工程（第１剥離工程）では図１の矢印Ａ１に示すように、天井側面板３４の上方に挿入した手指によって天井前面板３３と天井背面板３１とを離れる方向に力を加える。これにより、天井前面板３３と天井背面板３１との熱接着部３８（図３参照）の左半分が引き剥がされ、天井側面板３４の熱接着部３７（図４参照）が引き剥がされる。
【００６４】
同様に、図２の矢印Ａ２に示すように、天井側面板３２の上方に挿入した手指によって天井前面板３３と天井背面板３１とを離れる方向に力を加える。これにより、天井前面板３３と天井背面板３１との熱接着部３８（図３参照）の残りの右半分が引き剥がされ、天井側面板３２の熱接着部３６（図４参照）が引き剥がされる。図８は熱接着部剥離工程後の紙容器１の上部の斜視図を示しており、熱接着部剥離工程により傾斜屋根部３０の上端がＸ字状になる。
【００６５】
この時、熱接着部３６及び熱接着部３７内の所定領域には剥離剤６９が配されるため、熱接着部３６及び熱接着部３７を容易に引き剥がすことができる。また、天井前面板３３及び天井背面板３１の一方の外装部６０と内装部７０とが剥離層７９で剥離し、熱接着部３８を容易に引き剥がすことができる。
【００６６】
次に、バリア層剥離工程では剥離開始部３１ｅから露出した糊代片３５の折返し部３５ａを摘持し、天井背面板３１の突出部３１ｂから引き離す。この時、折返し部３５ａの内面接着層７４と天井背面板３１の内面接着層７４とは強固に接着されている。このため、天井背面板３１の内装部７０が折返し部３５ａに固着された状態で、天井背面板３１の上端部の外装部６０と内装部７０とが剥離層７９により剥離する。
【００６７】
剥離開始部３１ｅを起点にして天井背面板３１の端縁に沿って外装部６０を下方に引っ張って剥離すると、剥離は背面板１１の端縁に沿って連続して進み、切断線５１の下方に設けられたノッチ５１ａに到達する。
【００６８】
そして、ノッチ５１ａを起点にして剥離方向を周方向に変えると、背面板１１の外装部６０が切断されながら周方向に剥離される。この時、外装部６０は上方に引っ張られるため、外装部６０の切断方向が上方に逸れて切断線５１に合流する。その後、天井背面板３１及び背面板１１の外装部６０が切断線５１に沿って内装部７０から剥離される。
【００６９】
尚、使用者はノッチ５１ａで紙基材層６２を含む外装部６０を容易に摘持することができるため、ノッチ５１ａから紙基材層６２を含む外装部６０のバリア層７２ｂを含む内装部７０からの剥離を容易に開始することもできる。
【００７０】
天井側面板３２及び側面板１２、天井前面板３３及び前面板１３、天井側面板３４及び側面板１４の外装部６０は切断線５１で周方向に外装部６０を切断しながら内装部７０から剥離される。これにより、紙容器１の上端と切断線５１との間の外装部６０が内装部７０から剥離される。
【００７１】
また、切断線５１が紙基材層６２を内面側から切り込むハーフカットにより形成される。このため、外面側に引っ張られる外装部６０の剥離時の紙基材層６２内での層間剥離を防止することができる。従って、切断線５１よりも上方に紙基材層６２が残存することを防止できる。
【００７２】
そして、糊代片３５と天井側面板３４との境界に配される折り線９０まで剥離が進んだ後、折り線９０に沿って天井側面板３４及び側面板１４の外装部６０を下方に切断しながら内装部７０から剥離する。
【００７３】
この時、糊代片３５と天井側面板３４との境界及び糊代片１５と側面板１４との境界に配される折り線９０に沿って外装部６０を切断することにより、リサイクルされる紙の量を多くすることができる。
【００７４】
これにより、図９に示すように、傾斜屋根部３０及び胴部１０の外装部６０が切り離されて剥離する。尚、注出部材３は内面接着層７４に固着されるため、外装部６０から除去される。
【００７５】
従って、紙容器１が解体され、傾斜屋根部３０及び胴部１０に設けられた紙基材層６２を含む外装部６０がリサイクルされる。また、傾斜屋根部３０の内装部７０、胴部１０の内装部７０及び底面部２０が廃棄される。
【００７６】
本実施形態によると、糊代片３５（第２糊代片）の折返し部３５ａに面した剥離開始部３１ｅを天井背面板３１（天井周面板）に設けたので、剥離開始部３１ｅから天井背面板３１の紙基材層６２を含む外装部６０とバリア層７２ｂを含む内装部７０との間を容易に剥離できる。また、胴部１０の底部に環状の切断線５１（切断部）を設けたので、天井背面板３１から剥離された紙基材層６２を周方向に容易に剥離することができる。従って、リサイクルできる紙の量を多くすることができ、紙容器１のリサイクル性を向上させることができる。
【００７７】
また、糊代片１５（第１糊代片）に重なる背面板１１（周面板）の端縁であって切断線５１よりも下方に配されるノッチ５１ａ（第１ノッチ）を設けたので、切断線５１を超えて下方に剥離された外装部６０がノッチ５１ａを起点にして周方向に剥離される。これにより、上方に引っ張られる外装部６０を切断線５１に合流させて切断線５１に沿って確実に剥離することができる。
【００７８】
また、切断線５１（切断部）が紙基材層６２の内面側に形成されているハーフカットにより構成されるため、切断線５１に沿って外面側に引っ張られる外装部６０の剥離時の紙基材層６２内での層間剥離を防止することができる。このため、切断線５１よりも上方の紙基材層６２の残存を防止でき、リサイクルできる紙の量をより多くすることができる。
【００７９】
本実施形態において、剥離開始部３１ｅが天井背面板３１の側端面上に到達する切り欠きにより形成しているが、折返し部３５ａに面したＩノッチ、Ｖノッチ等の切り込みまたは切り欠きにより形成してもよい。この時、バリア剥離工程において、剥離開始部３１ｅよりも外側（天井側面板３４側）を折返し部３５ａとともに摘持し、天井背面板３１の剥離開始部３１ｅよりも内側から引き離す。これにより、天井背面板３１の紙基材層６２が破断し、剥離開始部３１ｅよりも内側の内装部７０が折返し部３５ａに接着された状態で外装部６０が剥離される。そして、剥離した内装部７０と外装部６０との間に手指を挿入して引き離すことにより、外装部６０を剥離することができる。
【００８０】
＜第２実施形態＞
図１０は第２実施形態の紙容器１のブランク板１００の展開図を示している。本実施形態は第１実施形態に対し、天井側面板３４の上端面３４ｄには糊代片３５に近接してノッチ（第２ノッチ）５３ａが設けられている。その他の部分は第１実施形態と同様である。
【００８１】
ノッチ５３ａはＩノッチ、Ｖノッチ又はＵノッチから成る。尚、ノッチ５３ａとこれに隣接する折り線９０との距離Ｗ２は０ｍｍ〜２５ｍｍに形成される。距離Ｗ２が２５ｍｍよりも大きいとリサイクルされる紙基材層６２が少なくなる。また、距離Ｗ２を０ｍｍにして、糊代片３５と天井側面板３４との境界に配される折り線９０の上端にノッチ５３ａを配することにより、リサイクルされる紙の量を多くすることができる。
【００８２】
バリア層剥離工程において、外装部６０を切断線５１で切断しながら内装部７０から剥離し、天井側面板３４の剥離がノッチ５３ａまで進んだ後に、ノッチ５３ａを起点にして天井側面板３４及び側面板１４の外装部６０を下方に切断しながら外装部６０を内装部７０から剥離する。この時、糊代片３５と天井側面板３４との境界及び糊代片１５と側面板１４との境界に配される折り線９０に沿って外装部６０を切断することにより、リサイクルされる紙の量を多くすることができる。
【００８３】
本実施形態によると、糊代片３５（第２糊代片）に隣接する天井側面板３４の上端に第２糊代片３５に近接して配されるノッチ５３ａ（第２ノッチ）が設けられ、ノッチ５３ａを起点にして天井側面板３４から剥離された紙基材層６２を下方に容易に切断しながら剥離することができる。
【００８４】
また、ノッチ５３ａを糊代片３５（第２糊代片）と糊代片３５に隣接する天井側面板３４との境界の上端（距離Ｗ２が０ｍｍ）に配すことにより、リサイクルされる紙の量を多くすることができる。
【００８５】
＜第３実施形態＞
図１１は第３実施形態の紙容器１のブランク板１００の展開図を示している。本実施形態は第２実施形態に対し、天井前面板３３に開封開始部３３ｃが設けられる。その他の部分は第２実施形態と同様である。
【００８６】
開封開始部３３ｃは天井前面板３３の突出部３３ｂの両側端に設けられる。開封開始部３３ｃは水平方向にブランク板１００を切断した切り込み（Ｉノッチ）により形成される。ブランク板１００をＶ字状に切断した切り欠き（Ｖノッチ）により開封開始部３３ｃを形成してもよい。
【００８７】
開封開始部３３ｃは天井側面板３２、３４の上端面３２ｄ、３４ｄと、突出部３３ｂとの交点Ｐから上方に３ｍｍ以内の範囲に一または複数形成される。開封開始部３３ｃを交点Ｐ上に設けるとより望ましい。また、開封開始部３３ｃの水平方向の長さは５ｍｍ以下に形成される。これにより、紙容器１の美観低下を防止することができる。
【００８８】
上記構成の紙容器１を解体する熱接着部剥離工程において、熱接着部３８の側端部は天井側面板３２、３４と開封開始部３３ｃとの間隔が小さいため下方から開封開始部３３ｃまで容易に引き剥がすことができる。そして、開封開始部３３ｃから突出部３３ｂの内面接着層７４及びバリア基材層７２ａが切り裂かれながら、突出部３１ｂと突出部３３ｂとが離れる。
【００８９】
本実施形態によると、第１実施形態と同様の効果を得ることができる。また、突出部３３ｂの両側端部にブランク板１００の切り込みまたは切り欠きから成る開封開始部３３ｃを設けたので、熱溶着部剥離工程で熱接着部３８を容易に引き剥がすことができる。
【００９０】
また、開封開始部３３ｃを交点Ｐから上方に３ｍｍの範囲に設けたので、下方から開封開始部３３ｃまでを容易に引き剥がすことができる。また、開封開始部３３ｃの水平方向の長さを５ｍｍ以下にしたので、紙容器１の美観の低下を防止することができる。
【００９１】
尚、開封開始部３３ｃはブランク板１００を切断した切り込み（Ｉノッチ）または切り欠き（Ｖノッチ）によって容易に形成することができる。この時、開封開始部３３ｃは少なくとも内面接着層７４及びバリア基材層７２ａを貫通していればよい。これにより、内装部７０を切り裂いて紙基材層６２が積層方向に分離することで、熱接着部３８を容易に引き剥がすことができる。
【００９２】
尚、開封開始部３３ｃと同様に天井背面板３１の突出部３１ｂの両側端に水平方向にブランク板１００を切断して切り込み（Ｉノッチ）から成る開封開始部を設けてもよい。これにより、熱溶着部剥離工程で熱接着部３８をより容易に引き剥がすことができる。
【００９３】
また、開封開始部３３ｃを省いて突出部３１ｂのみに開封開始部を設けてもよい。また、突出部３１ｂの一側端の開封開始部を省き、突出部３３ｂの他側端の開封開始部３３ｃを省いてもよい。即ち、開封開始部は一対の突出部３１ｂ及び突出部３３ｂの一方または両方の一側端に設けられ、突出部３１ｂ及び突出部３３ｂの一方または両方の他側端に設けられていればよい。
【００９４】
＜第４実施形態＞
図１２は第４実施形態の紙容器１のブランク板１００の展開図を示している。本実施形態は第１実施形態に対し、剥離剤６９が天井側面板３２、３４の上部において両側部及び中央部の複数領域（図中、ハッチングで示す）に塗布されている。その他の部分は第１実施形態と同様である。
【００９５】
剥離剤６９が天井側面板３２、３４の上部において両側部に塗布されることにより、図１の矢印Ａ１及び図２の矢印Ａ２に示すように、天井側面板３２、３４の上方に挿入した手指によって天井前面板３３と天井背面板３１とを離れる方向に力を加える際に、熱接着部３６、３７をより容易に引き剥がすことができる。
【００９６】
また、天井側面板３２、３４の中央部に塗布される剥離剤６９は天井側面板３２、３４の上端から所定距離離れて塗布されている。これにより、二つ折りされる天井側面板３２及び天井側面板３４の上端部の接着強度を上げることができる。
【００９７】
＜第５実施形態＞
図１３は第５実施形態の紙容器１のブランク板１００の層構成を示す断面図である。本実施形態は第１実施形態に対し、切断線５１はバリア層７２ｂよりも外面側に設けられ、ブランク板１００の外面上から切り込まれたハーフカットにより形成されている。その他の部分は第１実施形態と同様である。なお、ミシン目状のハーフカットにより切断線５１を形成してもよい。
【産業上の利用可能性】
【００９８】
本発明によると、液体の内容物を収納するゲーベルトップ型の紙容器に利用することができる。
【符号の説明】
【００９９】
１      紙容器
２      本体部
３      注出部材
１０      胴部
１１      背面板
１２、１４  側面板
１３      前面板
１５、２５、３５  糊代片
１５ａ、２５ａ、３５ａ    折返し部
２０      底面部
２１〜２４  底面板
３０      傾斜屋根部
３１      天井背面板
３１ｂ、３３ｂ  突出部
３１ｃ、３３ｃ  開封開始部
３１ｄ、３３ｄ  非接着部
３１ｅ    剥離開始部
３２、３４  天井側面板
３２ｄ、３４ｄ  上端面
３３      天井前面板
３３ａ    挿通孔
３６、３７  熱接着部
３８      熱接着部
３９、４０  熱接着部
４１、４２  熱接着部
５１      切断線
５１ａ    ノッチ（第１ノッチ）
５３ａ    ノッチ（第２ノッチ）
６０      外装部
６１      外面接着層
６２      紙基材層
６３      層間接着層
６４      樹脂インキ
６５      アンカーコート剤
６８      印刷層
６９      剥離剤
７０      内装部
７９      剥離層
７１      樹脂インキ
７２      中間層
７２ａ    バリア基材層
７２ｂ    バリア層
７３      層間接着層
７４      内面接着層
７５      アンカーコート剤
９０      折り線
１００      ブランク板
【図１】
2018052574.tif 000003
【図２】
2018052574.tif 000004
【図３】
2018052574.tif 000005
【図４】
2018052574.tif 000006
【図５】
2018052574.tif 000007
【図６】
2018052574.tif 000008
【図７】
2018052574.tif 000009
【図８】
2018052574.tif 000010
【図９】
2018052574.tif 000011
【図１０】
2018052574.tif 000012
【図１１】
2018052574.tif 000013
【図１２】
2018052574.tif 000014
【図１３】
2018052574.tif 000015